【事件の表示】
　特許第４６５１０５９号に関する訂正審判事件について、次のとおり審決する。
【結　論】
　特許第４６５１０５９号に係る明細書及び特許請求の範囲を本件審判請求書に添付された訂正明細書及び特許請求の範囲のとおり訂正することを認める。
【理　由】
１．手続の経緯 
　本件審判の請求に係る特許第４６５１０５９号（以下、「本件特許」という。）の経緯は以下のとおりである。 
　
平成１２年　３月　７日　特願２０００−６１４６５号出願（原出願） 
平成２２年　３月２９日　本件特許出願（特願２０１０−７５７２６号） 
平成２２年１２月２４日　設定登録（請求項数：１） 
平成２４年　８月１０日　本件審判の請求（訂正２０１２−３９０１０５）
　
２．審判請求の要旨 
　本件審判の請求は、本件特許４６５１０５９号の明細書及び特許請求の範囲を、本件審判請求書に添付された訂正明細書及び特許請求の範囲のとおり訂正することを求めるものである。（下線部は訂正箇所を意味する。） 
　
　その訂正内容は、次のとおりである。
　
（１）訂正事項１
　本件特許請求の範囲の請求項１における
　「当たりを判定するための遊技制御手段と、
　前記遊技制御手段からの一方向のコマンドにもとづいて、図柄表示装置に表示する図柄を制御するための図柄表示制御手段とを備える遊技機において、
　前記遊技制御手段には、
　前記入賞の判定にもとづいて、前記図柄表示装置に停止させる停止予定図柄の組合せパターンを指定する停止図柄グループを決定するための停止図柄グループ決定手段と、」という記載を、
　「当たりを判定するための遊技制御手段と、
　前記遊技制御手段からの一方向のコマンドにもとづいて、図柄表示装置に表示する図柄を制御するための図柄表示制御手段とを備える遊技機において、
　前記遊技制御手段には、
　前記
当たり
　
（２）訂正事項２
　明細書の段落【０００２】における「【発明が解決しようとする課題】」という記載を削除して、
　明細書の段落【０００６】の最初の行の前に「【発明が解決しようとする課題】」という記載を挿入する訂正をする。
　
（３）訂正事項３
　明細書の段落【０００６】における
　「そこで、各請求項にそれぞれ記載された各発明は、上記した従来の技術の有する問題点に鑑みてなされたものであり、その目的とするところは、次の点にある。」という記載を、
　「そこで
、請
に記
た発
のうち、停止予定図柄の組合せに関する問題点
　
（４）訂正事項４
　明細書の段落【０００８】における
　「また、請求項１に記載の発明は、メイン基板等の遊技制御手段において、図柄表示装置に停止させる停止予定図柄の組合せパターンを指定する停止図柄グループを決定しているので、サブ基板等の図柄表示制御手段のプログラムを変更するだけで、メイン基板等の遊技制御手段のプログラムを変更することなく、図柄の種類や数を変更がすることが可能である。」という記載を、
　「また、請求項１に記載の発明は、メイン基板等の遊技制御手段において、図柄表示装置に停止させる停止予定図柄の組合せパターンを指定する停止図柄グループを決定しているので、サブ基板等の図柄表示制御手段のプログラムを変更するだけで、メイン基板等の遊技制御手段のプログラムを変更することなく、図柄の種類や数を変
更す
　
（５）訂正事項５
　明細書の段落【０００９】における
　「（請求項２）
　請求項２に記載の発明は、上記した請求項１に記載の発明の目的に加え、次の点を目的とする。」という記載を削除する。
　
（６）訂正事項６
　明細書の段落【００１０】〜【００１３】を削除する。
　
（７）訂正事項７
　明細書の段落【００１４】における
　「すなわち、請求項６に記載の発明は、コマンドと、遊技情報と、履歴データとにもとづいて、サブ基板等の図柄表示制御手段における停止予定図柄の変動パターンを変更することができるようにしたものである。」という記載を削除する。
　
（８）訂正事項８
　明細書の段落【００１５】における
　「各請求項にそれぞれ記載された各発明は、上記した各目的を達成するためになされたものであり、各発明の特徴点を図面に示した発明の実施の形態を用いて、以下に説明する。」という記載を、
　「
請
に記
た発
、発
　
（９）訂正事項９
　明細書の段落【００２０】における
　「なお、遊技制御手段(100)は、入賞の判定に限らず、遊技全般を制御している。」という記載を、
　「なお、遊技制御手段(100)は、
当たり
　
（１０）訂正事項１０
　明細書の段落【００２３】における
　「上記停止図柄グループ決定手段(120)は、入賞の判定にもとづいて、図柄表示装置(500)に停止させる停止予定図柄の組合せパターンを指定する停止図柄グループを決定するためのものである。」という記載を、
　「上記停止図柄グループ決定手段(120)は、
当たり
　
（１１）訂正事項１１
　明細書の段落【００２７】における
　「（請求項２）
  請求項２に記載の発明は、上記した請求項１に記載の発明の特徴点に加え、次の点を特徴とする。」という記載を削除する。
　
（１２）訂正事項１２
　明細書の段落【００２８】〜【００４４】を削除する。
　
（１３）訂正事項１３
　明細書の段落【００４５】における
　「第三に、図柄変動パターン決定手段(232)は、コマンド受信手段(210)により受信したコマンドと、遊技情報受信手段(220)により受信した遊技情報と、表示履歴記憶手段(240)に記憶された履歴データとにもとづいて、停止予定図柄の変動パターンを決定するものである。」という記載を削除する。
　
（１４）訂正事項１４
　明細書の段落【００４９】における
　「また、請求項１に記載の発明によれば、メイン基板等の遊技制御手段において、図柄表示装置に停止させる停止予定図柄の組合せパターンを指定する停止図柄グループを決定しているので、サブ基板等の図柄表示制御手段のプログラムを変更するだけで、メイン基板等の遊技制御手段のプログラムを変更することなく、図柄の種類や数を変更がすることが可能である。」という記載を、
　「また、請求項１に記載の発明によれば、メイン基板等の遊技制御手段において、図柄表示装置に停止させる停止予定図柄の組合せパターンを指定する停止図柄グループを決定しているので、サブ基板等の図柄表示制御手段のプログラムを変更するだけで、メイン基板等の遊技制御手段のプログラムを変更することなく、図柄の種類や数を変
更す
　
（１５）訂正事項１５
　明細書の段落【００５１】〜【００５５】を削除する。
　
（１６）訂正事項１６
　明細書の段落【００５６】における
　「すなわち、請求項６に記載の発明によれば、コマンドと、遊技情報と、履歴データとにもとづいて、サブ基板等の図柄表示制御手段における停止予定図柄の変動パターンを変更することができる。」という記載を削除する。
　
（１７）訂正事項１７
　明細書の段落【００６３】における
　「なお、遊技制御手段(100)は、入賞の判定に限らず、遊技全般を制御している。」という記載を、
　「なお、遊技制御手段(100)は、
当たり
　
（１８）訂正事項１８
　明細書の段落【００７６】における
　「停止図柄グループ決定手段120は、入賞の判定にもとづいて、図柄表示装置500に停止させる停止予定図柄の組合せパターンを指定する停止図柄グループを決定するためのものである。」という記載を、
　「停止図柄グループ決定手段120は、
当たり
　
３．当審の判断
（１）訂正事項１について
　訂正事項１は、請求項１において「前記入賞の判定にもとづいて、」という記載があるが、この記載以前に「入賞」の記載がないため不明瞭になっている「前記入賞の判定にもとづいて、」という記載を、
　この記載以前の「当たりを判定するための遊技制御手段と、」という記載、及び、段落【００７５】の「当たり判定手段110は、乱数を用いて、大当たりを含む当たりを判定するためのものである。」という記載に基づき、「前記
当たり
　
（２）訂正事項２について
　訂正事項２は、段落【０００３】〜【０００５】の記載には本件請求項１の発明が解決しようとする課題以外の記載が含まれているが、段落【０００３】の前に「【発明が解決しようとする課題】」と記載されているため不明瞭となっている記載を、「【発明が解決しようとする課題】」の記載を段落【０００２】の末行から段落【０００６】最初の行に移動させることにより、段落【０００３】〜【０００５】の記載を明瞭にする訂正であるから、明瞭でない記載の釈明を目的とする訂正に該当する。
　
（３）訂正事項３について
　訂正事項３は、特許請求の範囲に記載された発明が請求項１のみであるにも関わらず、複数の請求項があることを前提として記載されている「各請求項にそれぞれ記載された各発明は、」という記載を、請求項の数と整合させるために「
請
に記
た発
　「上記した従来の技術の有する問題点に鑑みてなされた」の記載を、請求項１の発明が解決しようとする課題と整合させるために「上記した従来の技術の有する問題点
のうち、停止予定図柄の組み合わせに関する問題点
　
（４）訂正事項４、１４について
　訂正事項４、１４は、「変更がすることが可能である。」という不明瞭な記載を、「変
更す
　
（５）訂正事項５〜７、１１〜１６について
　訂正事項５〜７、１１〜１６は、特許請求の範囲に記載された発明が請求項１のみであるにも関わらず、本件明細書中に請求項２〜６に関する記載を削除することにより請求項の数と整合させる訂正であるから、明瞭でない記載の釈明を目的とする訂正に該当する。
　
（６）訂正事項８について
　訂正事項８は、特許請求の範囲に記載された発明が請求項１のみであるにも関わらず、複数の請求項があることを前提として記載されている「各請求項にそれぞれ記載された各発明は、」という記載を、請求項の数と整合させるために「
請
に記
た発
　
（７）訂正事項９〜１０、１７〜１８について
　訂正事項９〜１０、１７〜１８は、上記（１）の「訂正事項１について」の訂正により、特許請求の範囲の請求項１における明瞭でない記載の釈明の訂正を行った結果、記載表現が一致しなくなった明細書の記載を、訂正後の特許請求の範囲の記載に整合させるための訂正であるから、明瞭でない記載の釈明に該当する。
　
　したがって、訂正事項１〜１８は、特許法第１２６条第１項ただし書第３号に掲げる事項を目的としたものである。
　
　そして、当該訂正事項１〜１８は、本件特許明細書に記載された事項に基づいたものであって、願書に添付した明細書、特許請求の範囲又は図面に記載した事項の範囲内においてされたものであり、実質上特許請求の範囲を拡張し、又は変更する訂正ではないから、特許法第１２６条第５項及び第６項の規定に適合する。 
　
４．むすび 
　したがって、本件審判の請求に係る訂正は、特許法第１２６条第１項ただし書第３号に掲げる事項を目的とし、かつ、同条第５項及び６項の規定に適合する。　
　よって、結論のとおり審決する。